(57)【要約】      （修正有）【課題】スライドの着脱に工具を使用しなくともレバー一つで、レバー操作だけで、スライドを脱着する。【解決手段】玩具銃用スライドの着脱装置であって、玩具銃本体と、玩具銃本体の上部に設置するバレルを被覆しバレルの銃口Ｍ方向と銃後方Ｎとにスライド可能に取り付けるスライド３１と、玩具銃本体表面のスライド３１との境目に、玩具銃本体表面に沿って回動可能に取り付けるテイクダウンレバー４１と、スライド３１の軸支持部３２のスライドブロック当接部に接触することでスライド３１の銃後方Ｎへの移動を阻止するとともに、テイクダウンレバー４１の回動に伴い銃口Ｍ方向及び非銃口方向に移動し、銃口Ｍ方向への移動時には、非銃口方向への移動時よりも銃口Ｍ側に突設するスライドブロッククランク５５と、を有する。【選択図】図２
2020106259.tif 000002
【特許請求の範囲】
【請求項１】
玩具銃本体と、
玩具銃本体の上部に設置するバレルを被覆しバレルの銃口方向と銃後方とにスライド可能に取り付けるスライドと、
玩具銃本体表面のスライドとの境目に、玩具銃本体表面に沿って回動可能に取り付けるテイクダウンレバーと、
スライドの一部又はスライドに連結する部分に直接的に又は間接的に接触することでスライドの銃後方への移動を阻止するとともに、テイクダウンレバーの回動に伴い銃口方向及び非銃口方向に移動し、銃口方向への移動時には、非銃口方向への移動時よりも銃口側に突設するスライドブロッククランクと、を有することを特徴とする玩具銃用スライドの着脱装置。
【請求項２】
バレルと平行に設置するスライドブロックスライド軸と、
スライドの銃口側下部にスライドブロックスライド軸に摺動可能に取り付ける軸支持部と、
軸支持部の銃後方側面からなるスライドブロック当接部と、
スライドブロックスライド軸に取り付け、銃口方向と銃後方にそれぞれ移動可能で、軸支持部に設けたスライドブロック当接部に接触するスライドブロックと、を有し、
スライドブロッククランクは、
スライドブロックに、接触することでスライドの銃後方への移動を阻止する、
請求項１記載の玩具銃用スライドの着脱装置。
【請求項３】
スライドブロッククランクは、
銃口側又は非銃口方向に移動可能で、スライドの一部又はスライドに連結する部分に接触するスライドブロックに、接触することでスライドの銃後方への移動を阻止する、請求項１記載又は請求項２のいずれか記載の玩具銃用スライドの着脱装置。
【請求項４】
スライドブロッククランクは、テイクダウンレバーの水平方向への回動に伴い銃口方向移動し、テイクダウンレバーの垂直方向への回動に伴い非銃口方向に移動する、請求項１記載又は請求項２又は請求項３のいずれか記載の玩具銃用スライドの着脱装置。
【請求項５】
スライドブロッククランクは、テイクダウンレバーの水平方向への回動に伴い銃口方向に移動して、軸支持部のスライドブロック当接部に接触し、テイクダウンレバーの垂直方向への回動に伴い垂直方向に移動し、スライドブロッククランクとスライドブロックとの間にスペースを生ずる、請求項１記載又は請求項２又は請求項３又は請求項４のいずれか記載の玩具銃用スライドの着脱装置。
【請求項６】
スライド側表面と玩具銃本体表面とにかけて設ける、テイクダウンレバーの水平方向への回動及び垂直方向への作動をガイドするためのテイクダウン操作用溝を有する、請求項１記載又は請求項２又は請求項３又は請求項４又は請求項５のいずれか記載の玩具銃用スライドの着脱装置。
【請求項７】
テイクダウン操作用溝は、スライド側表面と玩具銃本体表面とにかけて設ける、請求項１記載又は請求項２又は請求項３又は請求項４又は請求項５又は請求項６のいずれか記載の玩具銃用スライドの着脱装置。
【請求項８】
テイクダウン操作用溝は、玩具銃本体側テイクダウン操作用溝と、スライド側テイクダウン操作用溝とからなり、
玩具銃本体側テイクダウン操作用溝は、玩具銃本体表面に設け、
スライド側テイクダウン操作用溝は、スライド表面に設け、玩具銃本体側テイクダウン操作用溝は、円弧状下半分からなり、
スライド側テイクダウン操作用溝は、円弧状上半分からなり、
玩具銃本体側テイクダウン操作用溝と、スライド側テイクダウン操作用溝とが一致すると、円弧状形状を形成し、ガイドを完成する、請求項１記載又は請求項２又は請求項３又は請求項４又は請求項５又は請求項６又は請求項７のいずれか記載の玩具銃用スライドの着脱装置。
【請求項９】
テイクダウン操作用溝は、スライドを銃後方にスライドすることで、玩具銃本体側テイクダウン操作用溝と、スライド側テイクダウン操作用溝とが一致すると、円弧状形状を形成し、ガイドを完成する、請求項１記載又は請求項２又は請求項３又は請求項４又は請求項５又は請求項６又は請求項７又は請求項８のいずれか記載の玩具銃用スライドの着脱装置。
【発明の詳細な説明】
【技術分野】
【０００１】
本発明は、玩具銃用スライドの着脱装置に係る。詳細には、エアガン（空気銃）にはバレル（銃身）が取り付けられるが、バレルに沿って外側に取り付けられる玩具銃用スライドの着脱装置に係る。
【背景技術】
【０００２】
玩具銃では、バレルに沿って外側にスライドが取り付けられる。
例えば、「エアガン１０１は、銃側面に銃後端方向へ摺動可能なスライドを有し、スライドを銃後端方向へ摺動させ再び初期位置へ戻り発射準備を完了する。」とする（特許文献１  特開２０１３−２１７５４６「エアガンの弾丸発射機構」［００１２］）。
【０００３】
あるいは、「マズル１０４の後方側には、弾丸ＢＢを導入するための給弾口１０５が開口する。給弾口１０５の近くには、スライド１０７が配置される。スライド１０７は、弾丸押込部１０８とスライド操作部１０９とを有し、バレル１０３の長さ方向にスライド自在となっている。」とする（特許文献２  特開２０１２−０１７９４７「エアガン」［００２３］）。
【０００４】
あるいは、「本実施例は、本発明に係るシール構造を図１に示す玩具空気銃１のインナーバレル３に適用したものである。その玩具空気銃１の構造を概略的に述べると、図１に示す玩具空気銃１は、銃本体２の上部に設けられたスライド４が後退するように構成したブローバック構造とされている。」とする（特許文献３  特開２０１０−１２１９２３「玩具空気銃のシール構造」［００２２］）。
【０００５】
あるいは、「本実施例は、本発明に係るシール構造を図１に示す玩具空気銃１のインナーバレル３に適用したものである。その玩具空気銃１の構造を概略的に述べると、図１に示す玩具空気銃１は、銃本体２の上部に設けられたスライド４が後退するように構成したブローバック構造とされている。」とする（特許文献４  特許第４３５６０３６号「玩具空気銃のシール構造」［００２６］）。
【０００６】
更に、参考例を、図１５乃至図２６に図示する。
１０１は、参考例の玩具銃である。１０２は、参考例の玩具銃１０１の玩具銃本体である。１０３は、スライドである。１２１は、バレルである。スライド１０３は、玩具銃本体１０２の上部に銃口方向及び銃後方にスライド可能に、バレル１２１の外側に被せるように取り付ける。
１０４は、ピン差込み孔である。ピン差込み孔１０４は、玩具銃本体１０２の側面に設ける。１０５は、ピンである。ピン１０５は、ピン差込み孔１０４に差し込む。１０６はダミーのテイクダウンレバーであって、実銃を模して、玩具銃本体１０２のスライド１０３下部側面に設けるが、実際には作動しない。１０７は、スライドブロック孔である。スライドブロック孔１０７は、玩具銃本体１０２のスライド１０３下部に下方に開口する。
【０００７】
１１１は、メカフレームである。
１３１は、スライドブロックである。スライドブロック１３１は、水平部分からなる長辺と垂直部分からなる短辺とのＬ字型からなり、短辺を下方に向けて、メカフレーム１１１に取り付ける。
【０００８】
１３２は、スライドブロック当接部である。スライドブロック当接部１３２は、スライド１０３下部のメカフレーム１１１銃口側端部に設ける。スライドブロック１３１収納時には、スライドブロック１３１銃口側端部と接する。
１３３は、スライドブロック第２当接部である。スライドブロック第２当接部１３３は、スライドブロック当接部１３２の下部の、メカフレーム１１１銃口側端部に設ける。ピン差込み孔１０４は、スライド１０３の側面から、スライドブロック１３１を貫通している。
【０００９】
スライド１０３を玩具銃本体１０２に固定した通常時は、図１５に図示するように、ピン１０５を、ピン差込み孔１０４に差し込み、更に、スライドブロック１３１に設けたピン差込み孔１０４まで貫通させ、ピン１０５でスライドブロック１３１を玩具銃本体１０２に固定する。
スライド１０３は、図１７、図２３に図示する程度スライドして後退することができる。バレル１２１先端がむき出しとなる。このとき、スライドブロック１３１先端は、スライドブロック当接部１３２と当接して、スライドブロック１３１は、これ以上銃口側には移動せず、スライド１０３は取り外すことはできない。
【００１０】
スライド１０３を玩具銃本体１０２から着脱する際は、図１６に図示するように、スライドブロック１３１を玩具銃本体１０２に固定しているピン１０５を、ピン差込み孔１０４から抜く。すると、図２４、図２５、図２６に図示するように、スライドブロック１３１は下降し、スライドブロック孔１０７から垂直部分先端が露出する。
すると、スライド１０３がより後退可能となり、スライド１０３を玩具銃本体１０２から取り外すことが可能となる。
【００１１】
参考例や従来例では、スライド１０３を玩具銃本体１０２から着脱する際、ピン１０５の抜き差しやハンマー等の工具が必要とされた。
【先行技術文献】
【特許文献】
【００１２】
【特許文献１】特開２０１３−２１７５４６公報
【特許文献２】特開２０１２−０１７９４７公報
【特許文献３】特開２０１０−１２１９２３公報
【特許文献４】特許第４３５６０３６号公報
【発明の概要】
【発明が解決しようとする課題】
【００１３】
本発明の目的は、玩具銃（エアガン）において、スライドの着脱に工具を使用しなくともレバー一つで、レバー操作だけで、スライドを脱着することが可能とすることにある。
【課題を解決するための手段】
【００１４】
この発明の玩具銃用スライドの着脱装置は、
玩具銃本体と、
玩具銃本体の上部に設置するバレルを被覆しバレルの銃口方向と銃後方とにスライド可能に取り付けるスライドと、
玩具銃本体表面のスライドとの境目に、玩具銃本体表面に沿って回動可能に取り付けるテイクダウンレバーと、
スライドの一部又はスライドに連結する部分に直接的に又は間接的に接触することでスライドの銃後方への移動を阻止するとともに、テイクダウンレバーの回動に伴い銃口方向及び非銃口方向に移動し、銃口方向への移動時には、非銃口方向への移動時よりも銃口側に突設するスライドブロッククランクと、
を有する。
【００１５】
この発明の玩具銃用スライドの着脱装置は更に、
バレルと平行に設置するスライドブロックスライド軸と、
スライドの銃口側下部にスライドブロックスライド軸に摺動可能に取り付ける軸支持部と、
軸支持部の銃後方側面からなるスライドブロック当接部と、
スライドブロックスライド軸に取り付け、銃口方向と銃後方にそれぞれ移動可能で、軸支持部に設けたスライドブロック当接部に接触するスライドブロックと、を有し、
スライドブロッククランクは、
スライドブロックに、接触することでスライドの銃後方への移動を阻止する。
【００１６】
この発明の玩具銃用スライドの着脱装置は更に、
スライドブロッククランクは、
銃口側又は非銃口方向に移動可能で、スライドの一部又はスライドに連結する部分に接触するスライドブロックに、接触することでスライドの銃後方への移動を阻止する。
【００１７】
この発明の玩具銃用スライドの着脱装置は更に、
スライドブロッククランクは、テイクダウンレバーの水平方向への回動に伴い銃口方向移動し、テイクダウンレバーの垂直方向への回動に伴い非銃口方向に移動する。
【００１８】
この発明の玩具銃用スライドの着脱装置は更に、
スライドブロッククランクは、テイクダウンレバーの水平方向への回動に伴い銃口方向に移動して、軸支持部のスライドブロック当接部に接触し、テイクダウンレバーの垂直方向への回動に伴い垂直方向に移動し、スライドブロッククランクとスライドブロックとの間にスペースを生ずる。
【００１９】
この発明の玩具銃用スライドの着脱装置は更に、
スライド側表面と玩具銃本体表面とにかけて設ける、テイクダウンレバーの水平方向への回動及び垂直方向への作動をガイドするためのテイクダウン操作用溝を有する。
【００２０】
テイクダウン操作用溝は、スライド側表面と玩具銃本体表面とにかけて設ける。
【００２１】
テイクダウン操作用溝は、玩具銃本体側テイクダウン操作用溝と、スライド側テイクダウン操作用溝とからなり、
玩具銃本体側テイクダウン操作用溝は、玩具銃本体表面に設け、
スライド側テイクダウン操作用溝は、スライド表面に設け、玩具銃本体側テイクダウン操作用溝は、円弧状下半分からなり、
スライド側テイクダウン操作用溝は、円弧状上半分からなり、
玩具銃本体側テイクダウン操作用溝と、スライド側テイクダウン操作用溝とが一致すると、円弧状形状を形成し、ガイドを完成する。
【００２２】
テイクダウン操作用溝は、スライドを銃後方にスライドすることで、玩具銃本体側テイクダウン操作用溝と、スライド側テイクダウン操作用溝とが一致すると、円弧状形状を形成し、ガイドを完成する。
【発明の効果】
【００２３】
スライドブロッククランクは、スライドの一部又はスライドに連結する部分に直接的に又は間接的に接触することでスライドの銃後方への移動を阻止するとともに、テイクダウンレバーの回動に伴い銃口方向及び非銃口方向に移動し、銃口方向への移動時には、銃後方への移動時よりも銃口側に突設する。
そのため、テイクダウンレバーの回動に伴い、スライドの銃後方へのスライド量が変化する。
スライド側と玩具銃本体とにかけて設ける、テイクダウンレバーの作動をガイドするためのテイクダウン操作用溝を有するときは、スライドと玩具銃本体とが一致してテイクダウン操作用溝を形成するときに、テイクダウンレバーは作動する。
【００２４】
エアガンにおいて、スライドの着脱に工具を使用しなくともレバー一つで、レバー操作だけで、スライドを脱着することが可能となる。そのため、玩具銃使用者による掃除や、油さし等のメインテナンスが容易となる。生産の効率も向上し、スライドに不良が発生した場合のスライド交換も容易となる。
なお、この発明では、実銃に沿った操作方法となるが、実銃はバレルごとスライドが銃口方向に外れる。それに対して、ブローバックガスガンには、バレル銃後方に気室が存在するため、スライド単体で銃後方に外れる必要がある。
【図面の簡単な説明】
【００２５】
【図１】この発明の実施の形態に係る実施例に係る玩具銃の正面図であって、スライドは玩具銃本体からスライド前の状態をあらわす図である。
【図２】この発明の実施の形態に係る実施例に係る玩具銃の一部拡大正面図であって、スライドは玩具銃本体からスライド前の状態をあらわす図である。
【図３】この発明の実施の形態に係る実施例に係る玩具銃の一部拡大内部構造斜視図であって、スライドは玩具銃本体からスライド前の状態をあらわす図である。
【図４】この発明の実施の形態に係る実施例に係る玩具銃の正面図であって、スライドは玩具銃本体からスライド後であるがテイクダウンレバー作動前の状態をあらわす図である。
【図５】この発明の実施の形態に係る実施例に係る玩具銃のテイクダウンレバーの正面図である。
【図６】この発明の実施の形態に係る実施例に係る玩具銃のテイクダウンレバーの背面図である。
【図７】この発明の実施の形態に係る実施例に係る玩具銃のテイクダウンレバーの平面図である。
【図８】この発明の実施の形態に係る実施例に係る玩具銃のテイクダウンレバーの左側面図である。
【図９】この発明の実施の形態に係る実施例に係る玩具銃の一部拡大正面断面図であって、スライドは玩具銃本体からスライド後であるがテイクダウンレバー作動前の状態をあらわす図である。
【図１０】この発明の実施の形態に係る実施例に係る玩具銃の一部拡大断面図であって、スライドは玩具銃本体からスライド後であるがテイクダウンレバー作動前の状態をあらわす図である。
【図１１】この発明の実施の形態に係る実施例に係る玩具銃の正面図であって、スライドは玩具銃本体からスライド後かつテイクダウンレバー作動後の状態をあらわす図である。
【図１２】この発明の実施の形態に係る実施例に係る玩具銃の一部拡大正面断面図であって、スライドは玩具銃本体からスライド後かつテイクダウンレバー作動後の状態をあらわす図である。
【図１３】この発明の実施の形態に係る実施例に係る玩具銃の一部拡大正面断面図であって、スライドは玩具銃本体からスライド後かつテイクダウンレバー作動後の状態をあらわす図である。
【図１４】この発明の実施の形態に係る実施例に係る玩具銃の一部拡大正面断面図であって、スライドは玩具銃本体からスライド後かつテイクダウンレバー作動後の状態をあらわす図である。
【図１５】従来例の斜視図であって、スライドは玩具銃本体からスライド前の状態であって、スライドブロック孔からスライドブロック先端が未露出状態をあらわす図である。
【図１６】従来例の斜視図であって、スライドは玩具銃本体からスライド前の状態で、ピンを抜いている状態あって、スライドブロック孔からスライドブロック先端が未露出状態をあらわす図である。
【図１７】従来例の一部拡大正面図であって、スライドは玩具銃本体からスライド後の状態あって、スライドブロック孔からスライドブロック先端が未露出状態をあらわす図である。
【図１８】従来例のシリンダーブロックの正面図である。
【図１９】従来例のシリンダーブロックの右側面図である。
【図２０】従来例のメカフレームの正面図である。
【図２１】従来例のメカフレームの右側面図であって、図２０のＡＡ断面図である。
【図２２】従来例のメカフレーム及びシリンダーブロックの右側面図である。
【図２３】従来例のシリンダーのスライド状態の一部拡大正面断面図であって、スライドは玩具銃本体からスライド後の状態であって、スライドブロック孔からスライドブロック先端が未露出状態をあらわす図である。
【図２４】従来例の斜視図であって、スライドは玩具銃本体からスライド前の状態であって、スライドブロック孔からスライドブロック先端が露出している状態をあらわす図である。
【図２５】従来例のシリンダーのスライド状態の一部拡大正面図であって、スライドは玩具銃本体から更にスライド後の状態であって、スライドブロック孔からスライドブロック先端が露出している状態である。
【図２６】従来例のシリンダーのスライド状態の一部拡大正面図であって、スライドは玩具銃本体から更にスライド後の状態であって、スライドブロック孔からスライドブロック先端が露出している状態である。
【発明を実施するための形態】
【００２６】
この発明の実施の一形態に係る実施例を、この発明の実施例を図示する図面に基づいて
説明する。
玩具銃１１は、玩具銃本体１２と、銃身であるバレル２１とスライド３１とを有する。バレル２１は、玩具銃本体１２上部に銃口Ｍ方向から銃後方Ｎ方向に設置する。１３は、フレームである。フレーム１３は、玩具銃本体１２の表面に設置する。
１４は、メカフレームである。メカフレーム１４は、スライド３１下部の玩具銃本体１２内部に取り付ける。
【００２７】
スライド３１は、玩具銃本体１２上部で、バレル２１を被覆して銃口Ｍ方向及び銃後方Ｎ方向に玩具銃本体１２にスライド可能にメカフレーム１４に取り付ける。
３２は、軸支持部である。軸支持部３２は、スライド３１の銃口Ｍ側下部に下方に突設して設ける。３３は、スライドブロック当接部である。スライドブロック当接部３３は、軸支持部３２の銃後方Ｎ側面からなる。
【００２８】
４１は、テイクダウンレバーである。４２は、テイクダウンレバー回転軸である。テイクダウンレバー回転軸４２は、スライド３１下方のメカフレーム１４に取り付ける。テイクダウンレバー４１は、玩具銃本体１２表面のスライド３１との境目の玩具銃本体１２表面に沿って、テイクダウンレバー回転軸４２を回転軸として回動可能に取り付ける。
４３は、テイクダウン凸部である。テイクダウン凸部４３は、テイクダウンレバー４１の内側先端に凸部を玩具銃本体１２内側に向けて取り付ける。
【００２９】
５１は、テイクダウンリンクである。テイクダウンリンク５１は、一端はテイクダウンレバー４１先端内側に取り付ける。
５２は、リンク凸部である。リンク凸部５２は、テイクダウンリンク５１の他端に取り付ける。リンク凸部５２は、メカフレーム１４の内側に凸状に設ける。
５３はクランク、５３１はクランク溝である。クランク溝５３１は、クランク５３の中央長手方向に、溝状に設ける。リンク凸部５２とクランク溝５３１とは噛み合っており、リンク凸部５２はクランク溝５３にガイドされる。５４は、クランク軸である。
【００３０】
５５は、スライドブロッククランクである。クランク５３とスライドブロッククランク５５は、相互角度は略１２０度で折れまげて連結し、全体としてヘ字状態からなる。クランク５３とスライドブロッククランク５５との連結部分で、クランク軸５５によりメカフレーム１４側に取り付けられる。クランク５３とスライドブロッククランク５５とは、クランク軸５５を回動中心として回動可能である。
５９は、スライドブロック銃後方側当接部である。スライドブロック銃後方側当接部５９は、クランク軸５４の取付け基部に銃口Ｍ側に向けて設ける。
【００３１】
５６は、スライドブロックである。５７は、スライドブロックスライド軸である。スライドブロックスライド軸５７は、スライド３１に設けられた軸支持部３２を貫通し、軸支持部３２に摺動可能に取り付け支持される。
スライドブロックスライド軸５７は、バレル２１と平行に、バレル２１下部に銃口Ｍ方向から銃後方Ｎに向けて銃口Ｍ下からバレル２１の略三分の一の範囲に設置する。
【００３２】
スライドブロック５６は、スライドブロックスライド軸５７の銃後方Ｎ端に取り付ける。スライドブロック５６は、メカフレーム１４にスライドブロックスライド軸５７ごと銃口Ｍ方向と銃後方Ｎにそれぞれスライド可能に取り付ける。
スライドブロックスライド軸５７に沿って、軸支持部３２が銃口Ｍ方向と銃後方Ｎにそれぞれスライドすることで、スライド３１は、銃口Ｍ方向と銃後方Ｎにそれぞれスライドする。
【００３３】
５８は、クランク当接部である。クランク当接部５８は、スライドブロック５６の銃後方Ｎ側面に設ける。
スライドブロック銃後方側当接部５９は、図２、図３、図９、図１０、図１２に図示するスライド３１が後端までスライドしていない状態では、クランク当接部５８との嵌合を解除している。
図１３、図１４に図示するように、スライド３１が後端までスライドすると、スライドブロック銃後方側当接部５９は、クランク当接部５８と嵌合して固定する。
６１は、シリンダーブロックである。
【００３４】
スライドブロック５６は、図２に図示するように、スライド３１を銃後方Ｎにスライドさせない状態では、スライドブロック当接部３３とスライドブロック５６の銃口Ｍ側すなわち先端側が当接せず、両者間に隙間がある。スライド３１を銃後方Ｎにスライドさせた状態では、図９に図示するように、スライドブロック当接部３３とスライドブロック５６の銃口Ｍ側すなわち先端側が当接する。
【００３５】
スライドブロッククランク５５は、図１２に図示されるように、テイクダウンレバー４１のＡ回動に伴い銃口Ｍ方向及び非銃口方向、この実施例では垂直にかつ下方向に、クランク軸５４を回動中心として回動して移動するとともに、スライド３１の一部またはスライド３１に連結する部分、この実施例では軸支持部３２のスライドブロック当接部３３に、銃口Ｍ方向への移動時には、接触可能である。
スライドブロッククランク５５は、テイクダウンレバー４１の水平方向への回動に伴い銃口Ｍ方向移動して、スライド３１の一部またはスライド３１に連結する部分に接触し、テイクダウンレバー４１の垂直方向への回動に伴い非銃口方向この実施例では垂直に下方向にＢ回動して移動する。
【００３６】
７１は、テイクダウン操作用溝である。テイクダウン操作用溝７１は、玩具銃本体側テイクダウン操作用溝７２と、スライド側テイクダウン操作用溝７３とからなる。玩具銃本体側テイクダウン操作用溝７２は、玩具銃本体１２表面に設ける。スライド側テイクダウン操作用溝７３は、スライド３１表面に設ける。図４、図１１に図示するように、玩具銃本体側テイクダウン操作用溝７２は、円弧状下半分からなり、スライド側テイクダウン操作用溝７３は、円弧状上半分からなる。
テイクダウン操作用溝７１は、スライド３１側表面と玩具銃本体１２表面とにかけて設ける。
【００３７】
テイクダウン操作用溝７１は、スライド３１側を玩具銃本体１２からスライドさせない状態では、図１、図２、図３に図示する状態をとる。スライド側テイクダウン操作用溝７３は、玩具銃本体側テイクダウン操作用溝７２の銃口Ｍ側に位置する。
スライド３１を銃後方Ｎにずらすと、図４、図１１に図示するように、玩具銃本体側テイクダウン操作用溝７２と、スライド側テイクダウン操作用溝７３とが一致すると、円弧状形状を形成し、ガイドを完成する。
【００３８】
テイクダウン操作用溝７１は、テイクダウンレバー４１の作動をガイドする。
玩具銃本体側テイクダウン操作用溝７２と、スライド側テイクダウン操作用溝７３のガイド不一致の場合は、ガイドであるテイクダウン操作用溝７１が形成されないので、スライド３１は、銃後方Ｎに、スライドしない。
図１１に図示するように、円弧状の玩具銃本体側テイクダウン操作用溝７２と、スライド側テイクダウン操作用溝７３が一致するとのガイドが完成し、テイクダウン操作用溝７１にそって、テイクダウンレバー４１は移動することができる。
【００３９】
スライドブロッククランク５５は、スライド３１の一部又はスライド３１に連結する部分に直接的に又は間接的に接触することでスライド３１の銃後方Ｎへの移動を阻止する。この実施例ではスライドブロッククランク５５は、スライドブロック５６に接触する。スライドブロック５６は、軸支持部３２のスライドブロック当接部３３に接触する。
スライドブロッククランク５５は、テイクダウンレバー４１の回動に伴い銃口Ｍ方向及び垂直の下方に移動し、銃口Ｍ方向への移動時には、垂直の下方への移動時よりも銃口Ｍ側に突設する。そのため、テイクダウンレバー４１の回動に伴い、スライド３１の銃後方Ｎへのスライド量が変化する。
【００４０】
次に、実施例の作動について説明する。
スライド３１側を玩具銃本体１２からスライドさせない状態では、図１、図２、図３に図示する状態をとる。
テイクダウン操作用溝７１は、スライド側テイクダウン操作用溝７３は、玩具銃本体側テイクダウン操作用溝７２の銃口Ｍ側に位置しており、ガイドは形成されていない。
【００４１】
テイクダウンレバー４１は、スライド３１下部の玩具銃本体１２側面で水平に位置している。ガイドは形成されていないので、テイクダウン凸部４３は、テイクダウン操作用溝７１にガイドされて移動することはなく、テイクダウンレバー４１は、回動することはない。
図２、図３に図示するように、テイクダウンリンク５１先端に取り付けられたリンク凸部５２は、クランク５３に設けられたクランク溝５３１と噛み合ってクランク溝５３１の最下段、先端に位置している。そのため、クランク軸５４を介して反対側に取り付けたスライドブロッククランク５５は、逆に上位置である水平状態に、銃口Ｍ側に突設している。そのため、スライドブロッククランク５５に接するスライドブロックは、銃口Ｍ側に押されている。
スライドブロック銃後方側当接部５９は、図２、図３に図示するスライド３１が後端までスライドしていない状態では、クランク当接部５８との嵌合を解除している。
【００４２】
次いで、図４、図９、図１０に図示するように、スライド３１を後ろ側にスライドして後退させる。
スライド３１の銃後方Ｎ移動により、テイクダウン操作用溝７１は、スライド側テイクダウン操作用溝７３と玩具銃本体側テイクダウン操作用溝７２とは上下に重なり、円弧上のガイドは形成される。
ガイドは形成されているが、テイクダウンレバー４１は未だ回動されず、スライド３１下部の玩具銃本体１２側面で水平に位置している。
【００４３】
図９、図１０に図示するように、テイクダウンリンク５１先端に取り付けられたリンク凸部５２は、クランク５３に設けられたクランク溝５３１と噛み合ってクランク溝５３１の最下段、先端に位置している。そのため、クランク軸５４を介して反対側に取り付けたスライドブロッククランク５５は、逆に上位置である水平状態に、銃口Ｍ側に突設している。そのため、スライドブロッククランク５５に接するスライドブロックは、銃口Ｍ側に押されている。
そのため、銃後方Ｎにスライドしたスライド３１の一部である軸支持部３２のスライドブロック当接部３３に、スライドブロック５６に接触する。スライドブロック５６は、スライドブロッククランク５５により銃口Ｍ側に押されるため、スライド３１は、それ以上後ろにスライドしない。
スライドブロック銃後方側当接部５９は、図９、図１０に図示するスライド３１が後端までスライドしていない状態では、クランク当接部５８との嵌合を解除している。
【００４４】
次いで、図１２に図示するように、スライド３１の銃後方Ｎ移動により、テイクダウン操作用溝７１は、スライド側テイクダウン操作用溝７３と玩具銃本体側テイクダウン操作用溝７２とは上下に重なり、円弧上のガイドは形成されているので、テイクダウンレバー４１をスライド３１下部の玩具銃本体１２側面で垂直方向に回動する。
すると、テイクダウンリンク５１先端に取り付けられたリンク凸部５２は、クランク５３に設けられたクランク溝５３１と噛み合ってクランク５３を上方Ａ回動して持ち上げる。すると、クランク軸５４を介して反対側に取り付けたスライドブロッククランク５５は、垂直にＢ回動して下向きとなる。
そのため、図１２に図示するように、スライドブロッククランク５５とスライドブロック５６との間にスペースＣが生ずる。
スライドブロック銃後方側当接部５９は図１２に図示するスライド３１が後端までスライドしていない状態では、クランク当接部５８との嵌合を解除している。
【００４５】
すると、図１３、図１４に図示するように、スライド３１は、スペースＣ分銃後方Ｎにスライドブロッククランク５５とスライドブロック５６とが接触するまでスライドすることができる。
図１３、図１４に図示するように、スライド３１が後端までスライドすると、スライドブロック銃後方側当接部５９は、クランク当接部５８と嵌合して固定する。
テイクダウンレバー４１を時計回りに操作することにより、スライドブロッククランク５５は、クランク軸５４を回動中心として、反時計回りに回転する。
スライド３１が銃後方Ｎにスライドでき、スライド３１を玩具銃本体１２から取り外すことが可能となる。
【００４６】
そのため、エアガンにおいて、スライド３１の着脱に工具を使用しなくともレバー一つで、レバー操作だけで、スライドを脱着することが可能となる。そのため、玩具銃使用者による掃除や油さし等のメインテナンスが容易となる。生産の効率も向上し、スライド３１に不良が発生した場合のスライド交換も容易となる。
なお、この発明では、実銃に沿った操作方法となるが、実銃はバレルごとスライドが銃口Ｍ方向に外れる。それに対して、ブローバックガスガンには、バレル２１銃後方Ｎに気室が存在するため、スライド３１単体で銃後方Ｎに外れる必要がある。
【符号の説明】
【００４７】
１１    玩具銃
１２    玩具銃本体
２１    バレル
３１    スライド
４１    テイクダウンレバー
５５    スライドブロッククランク
５６    スライドブロック
Ｍ    銃口
Ｎ    銃後方
【図１】
2020106259.tif 000003
【図２】
2020106259.tif 000004
【図３】
2020106259.tif 000005
【図４】
2020106259.tif 000006
【図５】
2020106259.tif 000007
【図６】
2020106259.tif 000008
【図７】
2020106259.tif 000009
【図８】
2020106259.tif 000010
【図９】
2020106259.tif 000011
【図１０】
2020106259.tif 000012
【図１１】
2020106259.tif 000013
【図１２】
2020106259.tif 000014
【図１３】
2020106259.tif 000015
【図１４】
2020106259.tif 000016
【図１５】
2020106259.tif 000017
【図１６】
2020106259.tif 000018
【図１７】
2020106259.tif 000019
【図１８】
2020106259.tif 000020
【図１９】
2020106259.tif 000021
【図２０】
2020106259.tif 000022
【図２１】
2020106259.tif 000023
【図２２】
2020106259.tif 000024
【図２３】
2020106259.tif 000025
【図２４】
2020106259.tif 000026
【図２５】
2020106259.tif 000027
【図２６】
2020106259.tif 000028